(57)【要約】      （修正有）【課題】デジタルカメラにおけるメモリカードへの画像書き込みの安全性を保ちつつ、蓋の開閉、カメラのモード、カードの種類の組み合わせによって利用しないカードへの無駄な電力供給をなくす。また、不必要なカメラのシャットダウンを抑制してカメラの利便性を向上させる。【解決手段】撮影した画像を保存するメモリカードを格納するカードスロットと、カードスロットを覆う蓋の開閉を検出する手段と、挿入されたカードの種類を検出する手段と、挿入されたカードに電力を供給する手段と、カードがスロットに挿入されたことを検出する手段を具備し、これらの検出手段による検出結果とカメラの動作モードに応じてカードへ電力を供給するようにした。【選択図】図２
2006109140.tif 000002
【特許請求の範囲】
【請求項１】
撮影レンズにより投影された被写体像を撮像素子により電気信号に変換し映像信号として画像を出力し撮影された画像をメモリカードに画像ファイルとして保存する機能を有し、
メモリカードまたは機能カードを少なくとも１つ格納するカードスロットと、
前記カードスロットに挿入されたメモリカードまたは機能カードとデータの入出力を行うカード入出力部と、
前記カードスロットを覆う開閉式のカードスロット蓋と、
前記カードスロット蓋の開閉を検出するカードスロット蓋検出部と、
挿入された少なくとも１つのカードの種類を検出するカード種別検出手段と、
挿入された少なくとも１つのカードに電力を供給するカード電力供給部と、
カードを前記カードスロットに挿入した事を検出するカード挿入検出部とを具備し、
前記カードスロットに挿入するカードの種類、および前記カードスロット蓋の開閉、およびデジタルカメラの動作モードに応じたカードの電力供給制御手段を有することを特徴とするデジタルカメラ。
【請求項２】
請求項１に記載のデジタルカメラにおいて、カード種別検出部が、Ｗｒｉｔｅ  Ｐｒｏｔｅｃｔ可能なメモリカードの書き込み属性を検出することを特徴とするデジタルカメラ。
【請求項３】
請求項１または２に記載のデジタルカメラにおいて、
前記電力供給制御手段が、複数の機能を有するマルチファンクションカードの少なくとも１つの機能に関する電力供給を制御することを特徴とするデジタルカメラ。
【請求項４】
前記カード種別検出手段はプログラムであることを特徴とする請求項１、２、３のいずれかに記載のデジタルカメラ。
【請求項５】
前記カードの電力供給制御手段は、プログラムであることを特徴とする請求項１、２、３のいずれかに記載のデジタルカメラ。
【発明の詳細な説明】
【技術分野】
【０００１】
本発明は、メモリカードや機能カードを少なくとも１つ挿入可能なスロットと、スロットに挿入されたカードを覆うカードスロット蓋とカードスロット蓋の開閉を検知できるセンサとカードへの電源供給部を具備したデジタルカメラに関する。
【背景技術】
【０００２】
近年、撮影した画像情報を電子的に処理しメモリカードなどの記録媒体に画像ファイルとして保存することが可能なデジタルカメラが普及してきている。さらに、メモリカードと同一なＩ／Ｆを有する無線ＬＡＮやモデムなどの機能カードを利用可能なデジタルカメラも登場してきている。
【０００３】
メモリカードに画像ファイル等の保存中にカードを抜去するとメモリカードを破壊する恐れがある。従来のデジタルカメラにおいては、メモリカード破壊の回避のためにメモリカード使用時にカードスロット蓋を開けた場合、メモリカードへのアクセスを停止し、カメラを強制シャットダウンしていたものもある。
【特許文献１】特開２００２−１１２０８５号公報
【発明の開示】
【発明が解決しようとする課題】
【０００４】
メモリカード保護を行う従来のデジタルカメラでは、蓋を開けるとカメラがシャットダウンしてしまうので、蓋を閉めた状態では物理的に利用できない機能カードを利用することができない。例えば、有線ＬＡＮカードやモデムカードなどは外部のネットワーク機器や携帯電話などと接続する必要があるため、カードスロット蓋を開けたまま利用できなければならない。しかし、蓋が開いた状態でかつ撮影を行う際のメモリカードや、蓋が閉まった状態での有線ＬＡＮカードのように利用できない状況においても、カードに電力を供給すれば電力を消費してしまう。また、撮影を行う状態のデジタルカメラにおいて、Ｗｒｉｔｅ  Ｐｒｏｔｅｃｔ機能のついたメモリカードが挿入された場合、そのメモリカードは利用することができない状況にもかかわらず、電力を消費してしまう。
【０００５】
特許文献１によれば、複数のカードを装着するスロットを備えた撮像装置において、複数のメモリカードが挿入された場合、そのいずれかの１つを選択して電力供給を行い、利用しないメモリカードの電力消費を節約するものもある。しかし、蓋が空いた状態でかつ撮影を行う際のメモリカードは、それを保護するために利用しないことが望まれ、複数のスロットにメモリカードが挿入されていてもすべての電力供給を行わずに、無駄な電力消費を抑えることができる。また、蓋が閉まった状態では利用できない有線ＬＡＮカード等に関しては、蓋が閉まっていては利用することができないので、電力供給を行わずに、無駄な電力消費を抑えることが望まれる。
【０００６】
また、メモリカード保護を行う従来のデジタルカメラでは、メモリカードへの画像ファイル等の保存要求がないためにメモリカードの破壊の恐れがない再生モードにおいても、カメラをシャットダウンしている。このため、ユーザは間違って蓋が開いてしまった場合や、複数のカードを装着するスロットを備えたデジタルカメラにおいて、他のスロットのカードを操作のために蓋を開けた場合において、いったん再生操作を中断されてしまう。さらには、カードの初期化等の処理を繰り返すことになり、再生操作を再開するのにも時間がかかってしまう。
【０００７】
本発明では、上記の諸事情に鑑み、利用できない状態にあるメモリカードや機能カードの消費電力を節約することと、メモリカードの保護を行う必要のないシチュエーションでの無駄なシャットダウンを抑制することでユーザのデジタルカメラに対する利便性を高めることを目的とする。
【課題を解決するための手段】
【０００８】
本発明は前述の問題点を解決するために、カードの種類、状態に応じて、カード挿抜時およびカードスロット蓋開閉時およびカメラモード変更時に関わるカードへの電源供給機能を有する。
【０００９】
上記目的を達成するため、請求項１の発明は、撮影レンズにより投影された被写体像を撮像素子により電気信号に変換し映像信号として画像を出力し撮影された画像を圧縮して記録メディアに画像ファイルとして保存する機能を有し、少なくとも１つのメモリカードまたは無線ＬＡＮなどの機能カードを格納するスロットおよびそのスロットを覆う開閉式のカードスロット蓋を有するデジタルカメラであって、挿入されたカードの種類を検出するカード種別検出手段とカードスロット蓋の開閉を検出するカードスロット蓋検出部およびカードをスロットに挿入した事を検出するカード検出部を具備し、カードスロットに挿入するカードの種類、およびカードスロット蓋の開閉、およびデジタルカメラの動作モードに応じて、カードへの電力供給を制御することを特徴とする。
【００１０】
また、請求項２の発明は、請求項１のデジタルカメラにおいて、挿入されたメモリカードまたはメモリカード機能を有したマルチファンクションカードが、Ｗｒｉｔｅ  Ｐｒｏｔｅｃｔ機能を有している場合に、カードスロットに挿入するカードの種類、Ｗｒｉｔｅ  Ｐｒｏｔｅｃｔの有無、およびカードスロット蓋の開閉、およびデジタルカメラの動作モードに応じて、カードへの電力供給を制御することを特徴とする。
【００１１】
また、請求項３の発明は、請求項１または請求項２のデジタルカメラにおいて、挿入されたカードが複数の機能を有したマルチファンクションカードでありかつ、そのマルチファンクションカードが機能ごとに電源供給に関する制御を行うことができる場合に、マルチファンクションカードの機能の種類、およびカードスロット蓋の開閉、およびデジタルカメラの動作モードに応じて、カードへの電力供給を制御することを特徴とする。
【００１２】
なお、さらに説明すれば、本発明の第一の発明について下記のように示す。
【００１３】
（１）撮影レンズにより投影された被写体像を撮像素子により電気信号に変換し映像信号として画像を出力し撮影された画像をメモリカードに画像ファイルとして保存する機能を有し、メモリカードまたは機能カードを少なくとも１つ格納するカードスロットと、前記カードスロットに挿入されたメモリカードまたは機能カードとデータの入出力を行うカード入出力部と、前記カードスロットを覆う開閉式のカードスロット蓋と、前記カードスロット蓋の開閉を検出するカードスロット蓋検出部と、挿入された少なくとも１つのカードの種類を検出するカード種別検出手段と、挿入された少なくとも１つのカードに電力を供給するカード電力供給部と、カードを前記カードスロットに挿入した事を検出するカード挿入検出部とを具備し、前記カードスロットに挿入するカードの種類、および前記カードスロット蓋の開閉、およびデジタルカメラの動作モードに応じたカードの電力供給制御手段を有することを特徴とするデジタルカメラ。
【００１４】
［作用］
以上のようにすると、デジタルカメラにおけるメモリカードへの画像書き込みの安全性を保ちつつ、カードスロット蓋の開閉、カメラのモード、カードの種類の組み合わせによって利用不可能または、安全上利用しないカードへの電力供給を節約できるため、無駄な消費電力を抑えることができる。
【００１５】
また、本来不必要なデジタルカメラのシャットダウンを抑制することで、ユーザのデジタルカメラに対する利便性を向上することができる。
【発明の効果】
【００１６】
本発明によれば、デジタルスチルカメラのように持ち運ぶために、電源がバッテリであるため消費電力を軽減することが必要である装置において、メモリカードへの記録の安全性を保ちながら、無駄な消費電力を抑えることができる。また、本来不必要なデジタルカメラのシャットダウンを抑制することで、ユーザのデジタルカメラに対する利便性を向上することができる。
【発明を実施するための最良の形態】
【００１７】
以下、本発明の実施例を、図面を参照しつつ説明する。
【実施例１】
【００１８】
図２は、本発明の第一の実施形態を説明するための図である。
【００１９】
図２において、１００は被写体像の形成やその像を撮像する機能を有したカメラボディである。１１０は電源で、カメラボディ内の各回路に電源を供給する。１２４は、カードスロットで、脱着可能なカード１２６を差し込むことができ、差し込んだ結果、カード電力供給部１２１、カード入出力部１２２、カード挿入検出部１２３と電気的に接続されている。カード挿入検出部１２３については、電気的でなく物理的なスイッチでの接続でもよい。１２５は、カードスロット蓋で、カードスロット１２４を覆っている。カード１２６は、カードスロット１２４に挿入するためには、カードスロット蓋１２５を開かなければならない。また、カードスロットに挿入したカード１２６は、カードスロット蓋１２５を開けなければ抜くことができない。
【００２０】
１０１〜１０３は、被写体像を形成する撮像光学系で、１０１は光軸方向の進退により焦点調節を行うフォーカシングレンズ、１０２は同じく光軸方向の進退により変倍を行うズーミングレンズである。１０３は撮像素子への光量を調節する絞りである。
【００２１】
１０４〜１０８は、撮像光学系で形成された被写体像をデジタル化する光電変換系である。１０４は、撮像素子で、ＣＣＤ、ＣＭＯＳ等で構成される光源変換手段であり、撮像光学系１０１〜１０３で形成された被写体像を光電変換し、画像信号を出力する。１０５は前処理回路で、ＣＤＳ（相関二重サンプリング）、ＡＧＣ（オートゲインコントロール）回路等を含み、撮像素子が正確な画像信号を出力するための制御を行う。１０６は、Ａ／Ｄコンバータで、前処理回路１０５から出力されたアナログ画像信号をデジタルデータに変換する。１０７は、像信号処理ＩＣで、デジタル化された画像信号に対してγ補正、ＡＷＢ（オートホワイトバランス）等を施し、撮像素子１０４の特性に起因する画像濃度の非線形性や、光源に起因する画像色の偏りの補正を行う。１０８は、フレームメモリで、１０４〜１０７によって補正された、撮像素子の生データを一時的に保持するバッファメモリである。
【００２２】
１０９はＣＰＵで、電源１１０、不揮発性メモリ１１１、圧縮部１１２、ＲＡＭメモリ１１３、ＥＶＦ制御１１４、メインスイッチ１１６、ＳＷ１  １１７、ＳＷ２  １１８、モードダイヤル１１９、カードスロット蓋検出部１２０、カード電力供給部１２１、カード入出力部１２２、カード挿入検出部１２３が接続され、それぞれを制御する。ＣＰＵ１０９は、撮像素子１０４の画像信号読み出しを制御するクロック信号を送出したり、１０４〜１０８の各素子の動作タイミングを制御したりする。
【００２３】
不揮発性メモリ１１１は、ＥＥＰＲＯＭ等で構成され、電源１１０がＯＦＦされても、記録されたデータを失わない。圧縮部１１２は、圧縮回路で、取得した画像信号を圧縮して画像ファイルサイズを縮小する。ＲＡＭメモリ１１３は、ＣＰＵ１０９が各種処理を行う際にデータを一時的に記憶させている。ＥＶＦ制御１１４は、液晶素子等で構成されているＥＶＦ１１５を駆動および制御する。メインスイッチ１１６は、オンされるとＣＰＵ１０９は、撮影に関する所定のプログラムの実行を許可する。１１７（ＳＷ１）、１１８（ＳＷ２）はカメラのレリーズボタンの第１ストローク、第２ストロークの押下でオンとなる。モードダイヤル１１９は、カメラの制御を分類するモードを切り替える。モードには、主に被写体を画像として記録するための撮影モードと記録した画像をＥＶＦに表示する再生モードが存在する。撮影モードでは、メモリカードに書き込みを行う可能性があるが、再生モードでは書き込みは行わずに読み込みだけが行われる。
【００２４】
カードスロット蓋検出部１２０は、カードスロット蓋１２５が閉じるとＯＮになり、開くとＯＦＦになる。カード１２６は、その種類に応じてカードスロット蓋１２５を閉じると物理的に利用できない有線通信ＬＡＮカード、モデムカード等や、逆に書き込み途中でカードが抜かれる時のデータの安全性を考慮してカードスロット蓋１２５を開けると利用しないことが望まれるメモリカード等が存在する。また、カードには、カードスロット蓋１２５の開閉に関係なく利用できる無線通信ＬＡＮカードやＰＨＳカードも存在する。
【００２５】
カード電力供給部１２１は、挿入されたカード１２６への電力供給のＯＮ、ＯＦＦを行うことができる。カード入出力部１２２は、挿入されたカード１２６へコマンドを送信することができ、その結果データをメモリカードへ読み書きすることやＬＡＮカードを通じてネットワークにデータを送受信することができる。
【００２６】
また、カード入出力部１２２は、カードの固体識別情報を読み込むことができる。カード１２６の固体識別情報とは、カード１２６の種別や製造元名や製品バージョンやシリアル番号などの固体を識別する情報を指す。カード挿入検出部１２３は、カード１２６がカードスロットに挿入されるとＯＮ、挿入されていないとＯＦＦの状態になる。カード１２６は、圧縮した画像信号を記録・保存できる機能（メモリカード：フラッシュメモリ等の半導体メモリ、磁気ディスク、光ディスク等が用いられる）や、ネットワークと有線で接続して通信する機能（有線ＬＡＮカード、モデムカード）や、ネットワークと無線で接続して通信する機能（無線ＬＡＮカード、ＰＨＳカード）等を持っている。
【００２７】
図３に、カード電力供給制御処理を呼び出すフローチャートを示す。ステップ＃１０１で、モードダイヤルを用いてモードが変更されていれば、後述のステップ＃１０４を行いステップ＃１０１に戻る。モードが変更されていなければ、ステップ＃１０２を行う。ステップ＃１０２で、カードスロット蓋検出部１２０がＯＮからＯＦＦもしくは、ＯＦＦからＯＮに変更があれば、後述のステップ＃１０４を行いステップ＃１０１に戻る。変更がなければ、ステップ＃１０３を行う。ステップ＃１０３で、カード挿入検出部１２３がＯＮならば、後述のステップ＃１０４を行いステップ＃１０１に戻る。変更がなければ、ステップ＃１０１へ戻る。
【００２８】
図４に、カード電力供給制御処理のフローチャートを示す。ステップ＃２０１で、カメラモード（撮影、再生）、カードスロット蓋状態（開、閉）、カード種別（メモリカード、有線ＬＡＮカード）の値を獲得し、ステップ＃２０２を行う。ここで、カード種別は、カード入出力部１２２から読み込むことができ、読み込む際は、カード電力供給部１２１から電力を供給してカードの種別を獲得する。カード種別を獲得した後、電力供給は停止してもよいし、そのまま供給してもよい。カード種類としてモデムカード、無線ＬＡＮカード、ＰＨＳカード、磁気ディスク、光磁気ディスクなどがあってもよい。
【００２９】
ステップ＃２０２では、カメラモードと蓋状態とカード種別と図５に示してあるテーブルから電源の状態を決定してステップ＃２０３を行う。ステップ＃２０３では、ステップ＃２０２で決定した電源の状態が、ＯＮであればステップ＃２０４でカード１２６へ電力供給を行い、ステップ＃２０６で終了する。ステップ＃２０２で決定した電源の状態が、ＯＦＦであればステップ＃２０５でカード電力供給停止を行い、ステップ＃２０６で終了する。
【００３０】
以上の実施例によれば、メモリカードへの書き込みの安全性を保ちながら、カードスロット蓋１２５の開閉状態によって物理的に利用できない、または、安全上利用できないカード１２６へ電力を供給しないことにより、無駄な消費電力を低減することができる。また、本来不必要な再生時のデジタルカメラのシャットダウンを抑制することで、ユーザのデジタルカメラに対する利便性を向上することができる。
【実施例２】
【００３１】
実施例２では、実施例１に加え、電力を供給するための要因としてメモリカードのＷｒｉｔｅ  Ｐｒｏｔｅｃｔの状態も考慮する。実施例２におけるカード電力供給制御処理のフローチャートを図６に示す。
【００３２】
ステップ＃３０１で、カメラモード（撮影、再生）、カードスロット蓋状態（開、閉）、カード種別（メモリカード、有線ＬＡＮカード）、カードのＷｒｉｔｅＰｒｏｔｅｃｔ状態の値を獲得し、ステップ＃３０２を行う。ここで、カード種別は、カード入出力部１２２から読み込むことができ、読み込む際は、カード電力供給部１２１から電力を供給してカードの種別を獲得する。カード種別を獲得した後、電力供給は停止してもよいし、そのまま供給してもよい。カード種類としてモデムカード、無線ＬＡＮカード、ＰＨＳカード、磁気ディスク、光磁気ディスクなどがあってもよい。ステップ＃３０２では、カメラモードと蓋状態とカード種別とカードＷｒｉｔｅＰｒｏｔｅｃｔ状態と図７に示してあるテーブルから電源の状態を決定してステップ＃３０３を行う。
【００３３】
ステップ＃３０３では、ステップ＃３０２の結果、電力供給を行うのであればステップ＃３０４でカードへ電力供給を行い、ステップ＃３０６で終了する。ステップ＃３０２の結果、電力供給を行わないのであればステップ＃３０５でカード電力供給停止を行い、ステップ＃３０６で終了する。
【００３４】
このテーブルを利用することにより、カメラモードが撮影モード、蓋は閉められ、カード種別がメモリカードであった場合に、メモリカードがＷｒｉｔｅ  ＰｒｏｔｅｃｔがＯＮのときメモリカードへの電力の供給を節約することができる。
【００３５】
以上の実施例によれば、メモリカードへの書き込みの安全性を保ちながら、カードスロット蓋１２５の開閉状態によって物理的に利用できない、または、安全上利用できないカードへ電源を供給しないことにより、無駄な消費電力を低減することができる。また、本来不必要な再生時のデジタルカメラのシャットダウンを抑制することで、ユーザのデジタルカメラに対する利便性を向上することができる。
【実施例３】
【００３６】
実施例３では、カードスロット１２４が２つ以上の場合を考慮する。ただし、複数のカードスロット１２４に対してカードスロット蓋１２５は、１つである（図８）。
【００３７】
図９に、実施例３におけるカード電力供給制御処理を呼び出すフローチャートを示す。
【００３８】
ステップ＃４０１で、モードダイヤルを用いてモードが変更されていれば、後述のステップ＃４０５を行う。モードが変更されていなければ、ステップ＃４０２を行う。ステップ＃４０２で、カードスロット蓋検出部１２０がＯＮからＯＦＦもしくは、ＯＦＦからＯＮに変更があれば、後述のステップ＃４０５を行う。変更がなければ、ステップ＃４０３を行う。ステップ＃４０３で、カード挿入検出部１２３がＯＮならば、後述のステップ＃４０４を行いステップ＃４０１に戻る。変更がなければ、ステップ＃４０１へ戻る。ステップ＃４０５では、すべてのカードスロット１２４についてステップ＃４０６を行い、すべてのカードスロット１２４に対してステップ＃４０６が終われば、ステップ＃４０１に戻る。本実施例では、カード挿入検出部１２３は、カードスロット１２４ごとにある。
【００３９】
ここで、カード電力供給制御処理は、実施例１の方式でも良いし、実施例２の方式でも良い。この実施例により、カードスロット１２４が２つ以上の場合でも、メモリカードへの書き込みの安全性を保ちながら、蓋の開閉状態によって物理的に利用できない、または、安全上利用できないカードへ電源を供給しないことにより、無駄な消費電力を低減することができる。また、本来不必要な再生時のデジタルカメラのシャットダウンを抑制することで、ユーザのデジタルカメラに対する利便性を向上することができる。
【実施例４】
【００４０】
実施例４では、カード１２６が複数の機能を持ったマルチファンクションカードである場合を考慮する。
【００４１】
実施例１および３において、カード電力供給制御処理がマルチファンクションカード対応のカード電力供給制御処理になる。図１０に、実施例４におけるカード電力供給制御処理を呼び出すフローチャートを示す。
【００４２】
ステップ＃５０１で、カメラモード（撮影、再生）、カードスロット蓋状態（開、閉）、カード機能種別（メモリカード、有線ＬＡＮカード、モデムカード、無線ＬＡＮカードの組み合わせ）の値を獲得し、ステップ＃５０２を行う。ここで、カード種別は、カード入出力部１２２から読み込むことができ、読み込む際は、カード電力供給部１２１から電力を供給してカードの種別を獲得する。カード種別を獲得した後、電力供給は停止してもよいし、そのまま供給してもよい。カード種類としてモデムカード、無線ＬＡＮカード、ＰＨＳカード、磁気ディスク、光磁気ディスクの組み合わせがあってもよい。
【００４３】
ステップ＃５０２では、カードの固有識別情報から同一の電力で動作する機能群のリストを獲得し、同一電力で動作するすべての機能群に対して後述のステップ＃５０３を行う。同一電力で動作するすべての機能についてステップ＃５０３を行えば、ステップ＃５０７で処理を終了する。ステップ＃５０３を行った結果、対応する機能への電力供給を行う場合は、ステップ＃５０５でカード電力供給を行いステップ＃５０２へ戻る。ステップ＃５０３を行った結果、電力供給を行わないのであれば、ステップ＃５０６で電力供給停止を行いステップ＃５０２へ戻る。
【００４４】
図１１は、同一電力で動作する機能に対する電力供給決定フローチャートである。
【００４５】
ステップ＃６０１では、同一電力で動作する機能群に含まれる機能について１つずつステップ＃６０２を行って、すべての機能について＃６０２を行えば、ステップ＃６０３を行う。ステップ＃６０２では、図５または、図７に示したテーブルにしたがって、機能がメモリカードのように安全上電力供給をＯＦＦするものであれば、ステップ＃６０５を行う。機能がメモリカードのように安全上電力をＯＦＦするものでなければ、ステップ＃６０１に戻る。ステップ＃６０３では、ステップ＃６０２で行った結果、１つでもＯＮになるものがあれば、ステップ＃６０４を行う。すべてＯＦＦであれば、ステップ＃６０５を行う。ステップ＃６０４では、同一電力で動作する機能に対する電力供給を行うことに決定しステップ＃６０６で終了する。ステップ＃６０５では、同一電力で動作する機能に対する電力供給を行わないことに決定しステップ＃６０６で終了する。
【００４６】
以上の実施例によれば、マルチファンクションカードであっても、メモリカードへの書き込みの安全性を保ちながら、蓋の開閉状態によって物理的に利用できない、または、安全上利用できないカードへ電源を供給しないことにより、無駄な消費電力を低減することができる。また、本来不必要な再生時のデジタルカメラのシャットダウンを抑制することで、ユーザのデジタルカメラに対する利便性を向上することができる。
【図面の簡単な説明】
【００４７】
【図１】カード電力供給決定の要因を示す図
【図２】デジタルカメラ構成図
【図３】デジタルカメラのカード電力供給制御全体フローチャート図
【図４】カード電力供給制御処理ルーチンのフローチャート図
【図５】カード電力供給決定のためのテーブル例を示す図
【図６】カード電力供給制御処理ルーチン（Ｗｒｉｔｅ  Ｐｒｏｔｅｃｔ対応）のフローチャート図
【図７】カード電力供給決定のためのテーブル（Ｗｒｉｔｅ  Ｐｒｏｔｅｃｔ対応）例を示す図
【図８】マルチスロットを備えたデジタルカメラ概観図
【図９】デジタルカメラのカード電力供給制御全体フローチャート図（複数スロット対応）
【図１０】マルチファンクション対応カード電力供給制御処理ルーチンのフローチャート図
【図１１】同一電力で動作する機能に対する電力供給決定ルーチンのフローチャート図
【符号の説明】
【００４８】
１００  デジタルカメラ本体
１０１  フォーカシングレンズ
１０２  ズーミングレンズ
１０３  絞り
１０４  撮像素子
１０５  ＣＤＳ／ＡＧＣ素子
１０６  Ａ／Ｄ変換素子
１０７  像信号処理素子
１０８  フレームメモリ
１０９  ＣＰＵ
１１０  電源
１１１  不揮発性メモリ
１１２  圧縮部
１１３  ＲＡＭメモリ
１１４  ＥＶＦ制御
１１５  ＥＶＦ
１１６  メインスイッチ
１１７  ＳＷ１
１１８  ＳＷ２
１１９  モードダイヤル
１２０  カードスロット蓋検出部
１２１  カード電力供給部
１２２  カード入出力部
１２３  カード挿入検出部
１２４  カードスロット
１２５  カードスロット蓋
１２６  カード
【図１】
2006109140.tif 000003
【図２】
2006109140.tif 000004
【図３】
2006109140.tif 000005
【図４】
2006109140.tif 000006
【図５】
2006109140.tif 000007
【図６】
2006109140.tif 000008
【図７】
2006109140.tif 000009
【図９】
2006109140.tif 000010
【図１０】
2006109140.tif 000011
【図１１】
2006109140.tif 000012
【図８】
2006109140.tif 000013